(57)【要約】【課題】データ利用者が移動しながら所望のデータを取得できるデータ配信システムを提供する。【解決手段】データ利用者４０は移動端末機４１からブルートゥースアンテナ５４ａを介してインターネット網５を経て配信先予測部２１にデータ配信を要求する。データ配信部２１は、要求されたデータをデータ配信部１０から受けて配信用データ蓄積装置２２に蓄積するとともに、移動端末機４１の位置をブルートゥースアンテナ５４ｂ、５４ｃによって検知し、ブルートゥースアンテナおよび移動端末機４１のデータベースに基づいて移動端末機４１の将来位置を予測して、その予測された将来位置に近いアンテナ５４ｄを用いて移動端末機４１に利用者４０の所望のデータをブルートゥースを用いて送信する。【選択図】        図１
2005033439.tif 000002
【特許請求の範囲】
【請求項１】
ネットワークに接続された複数のアクセスポイントを介して移動端末に対して情報を配信するデータ配信システムであって、
前記アクセスポイントおよび前記移動端末機はブルートゥースを用いた送受信が可能であり、
前記情報を準備する情報準備手段と、
前記移動端末機の位置を予測する手段と、
前記予測された移動端末機位置近くのアクセスポイントを選択する手段と、
前記選択されたアクセスポイントから前記移動端末機に前記準備手段で準備された情報を前記ブルートゥースを用いて送信する手段とを含む、データ配信システム。
【請求項２】
前記アクセスポイントは前記移動端末機との交信時にその交信情報を前記予測手段に送信し、
前記予測手段は前記アクセスポイント毎にその位置を特定するアクセスポイント位置特定手段を含み、前記アクセスポイントからの前記移動端末機との交信情報に基づいて前記アクセスポイント位置特定手段を参照して前記移動端末機の位置を予測し、
前記選択手段は前記アクセスポイント位置特定手段を参照して前記移動端末機と交信するアクセスポイントを選択する、請求項１に記載のデータ配信システム。
【請求項３】
前記予測手段は少なくとも複数の前記交信情報を基に前記移動端末機の位置を予測する、請求項２に記載のデータ配信システム。
【請求項４】
前記情報準備手段は予め定められた定期的な情報と予め定められていない不定期の情報とを準備する、請求項１に記載のデータ配信システム。
【請求項５】
前記移動端末機は前記不定期の情報を指定する手段を含む、請求項１に記載のデータ配信システム。
【請求項６】
前記アクセスポイント位置特定手段は前記アクセスポイントの属性を記憶する属性記憶手段を含み、前記予測手段は前記属性記憶手段を参照して前記アクセスポイントを予測する、請求項２に記載のデータ配信システム。
【請求項７】
前記情報準備手段は前記情報の長さを検出する手段と、前記情報の長さに応じて前記情報を分割する手段とを含み、
前記予測手段は前記アクセスポイント位置属性手段の情報を参照して、前記分割手段によって分割された情報を複数のアクセスポイントを介して前記移動端末機に送信する、請求項６に記載のデータ配信システム。
【請求項８】
前記定期的なデータ配信は外部の情報源から入手する、請求項４に記載のデータ配信システム。
【請求項９】
ネットワークに接続された複数のアクセスポイントを介してデータを受信する移動端末機であって、
前記データは前記ネットワークに接続されたデータ準備手段で行なわれ、前記データ準備手段は前記アクセスポイント毎の位置データを有する位置データベースおよび前記位置データベースを参照して前記移動端末機の位置を予測する位置予測手段を含み、
前記移動端末機は前記アクセスポイントとブルートゥースを用いた送受信を行なう送受信装置を含み、
前記送受信は前記位置予測手段の予測した位置に近い前記アクセスポイントを介して行なう、移動端末機。
【請求項１０】
ネットワークに接続されたデータ配信装置からの情報を移動端末機に送信するアクセスポイントであって、
前記データ配信装置は前記アクセスポイント毎の位置データを有する位置データベースおよび前記位置データベースを参照して前記移動端末機の位置を予測する位置予測手段を含み、
前記アクセスポイントは前記移動端末機とブルートゥースを用いた送受信を行なう送受信装置を含み、
前記移動端末機との交信を行なうアクセスポイントは、位置予測手段によって指定される、アクセスポイント。
【発明の詳細な説明】
【０００１】
【発明の属する技術分野】
この発明は移動端末機を有する利用者に対し、利用者の所望する情報を配信するデータ配信システム、移動端末機およびアクセスポイントに関し、特に利用者が移動した状態でも所望の情報を受信できるデータ配信システム、移動端末機およびアクセスポイントに関する。
【０００２】
【従来の技術】
従来利用者が所望のデータをネットワークからダウンロードするにはインターネット等を利用して利用者が要求するときに、データを保有する場所に通信回線およびインターネットを通じて接続し、その接続を保持ながらデータを検索しダウンロードしていた。
【０００３】
一方、ブルートゥース等の双方向短距離無線方式で移動電話とオーディオシステムおよび／またはインフォメーションシステムとの間の会話および／またはデータ伝送を行なう方法がある（たとえば、特許文献１を参照）。
【０００４】
【特許文献１】
特開２００１−８２７４号公報
【０００５】
【発明が解決しようとする課題】
従来の所望のデータのダウンロードは上記のように行なわれていた。したがって、データ利用者が移動していない場合は特に問題はないが、データ利用者が移動した場合にはデータを連続的に受信することが難しいという問題点があった。
【０００６】
また、モバイル環境下における現在のインターネットを利用した定期（定時的、定位置的）なダウンロードは、常時接続でかつ端末機が常時立上げている場合にしかできないという問題点があった。
【０００７】
この発明は上記のような問題点を解消するためになされたもので、データ利用者が移動しながら所望のデータを取得できるデータ配信システム、移動端末機およびアクセスポイントを提供することを目的とする。
【０００８】
【課題を解決するための手段】
この発明に係るデータ配信システムは、ネットワークに接続された複数のアクセスポイントを介して移動端末機に対して情報を配信する。アクセスポイントおよび移動端末機はブルートゥースを用いた送受信が可能である。データ配信システムは、情報を準備する情報準備手段と、移動端末機の位置を予測する手段と、予測された移動端末機位置近くのアクセスポイントを選択する手段と、選択されたアクセスポイントから移動端末機に準備手段で準備された情報をブルートゥースを用いて送信する手段とを含む。
【０００９】
情報は、位置を予測された移動端末機位置近くのアクセスポイントを介して移動端末機へブルートゥースを用いて送信されるため、データ利用者は移動しながらでも所望のデータを取得できるデータ配信システムを提供できる。
【００１０】
好ましくは、アクセスポイントは移動端末機との交信時にその交信情報を予測手段に送信し、予測手段はアクセスポイント毎にその位置を特定するアクセスポイント位置特定手段を含み、アクセスポイントからの移動端末機との交信情報に基づいてアクセスポイント位置特定手段を参照して移動端末機の位置を予測し、選択手段はアクセスポイント位置特定手段を参照して移動端末機と交信するアクセスポイントを選択する。
【００１１】
アクセスポイント毎にその位置が特定され、アクセスポイントからの移動端末機との交信情報に基づいて移動端末機の位置を予測し、それに基づいて移動端末機と交信するアクセスポイントを選択するため、確実に移動端末機との交信が可能になる。
【００１２】
さらに好ましくは、予測手段は少なくとも複数の交信情報を基に移動端末機の位置を予測する。複数の交信情報を利用して移動端末機の位置を予測するため、移動端末機の位置の予測精度を上げることができる。
【００１３】
なお、情報準備手段は予め定められた定期的な情報と予め定められていない不定期の情報とを準備してもよい。また、移動端末機は不定期の情報を指定できるようにしてもよい。
【００１４】
さらに好ましくは、アクセスポイント位置特定手段はアクセスポイントの属性を記憶する属性記憶手段を含み、予測手段は属性記憶手段を参照してアクセスポイントを予測する。アクセスポイントの属性を参照してアクセスポイントを予測するため、予測の精度を上げることができる。アクセスポイントの属性としては、アクセスポイントの設けられている場所が地上であるとか地下であるとかであってもよい。
【００１５】
さらに好ましくは、情報準備手段は情報の長さを検出する手段と、情報の長さに応じて情報を分割する手段とを含み、予測手段はアクセスポイント位置属性手段の情報を参照して、分割手段によって分割された情報を複数のアクセスポイントを介して移動端末機に送信する。必要に応じて情報は分割して送信されるため、確実に情報を伝達できる。
【００１６】
なお、定期的なデータ配信は外部の情報源から入手してもよい。
この発明の他の局面においては、ネットワークに接続された複数のアクセスポイントを介してデータを受信する移動端末機においては、データはネットワークに接続されたデータ準備手段で行なわれ、データ準備手段はアクセスポイント毎の位置データを有する位置データベースおよび位置データベースを参照して移動端末機の位置を予測する位置予測手段を含む。移動端末機はアクセスポイントとブルートゥースを用いた送受信を行なう送受信装置を含み、送受信は位置予測手段の予測した位置に近いアクセスポイントを介して行なう。
【００１７】
この発明のさらに他の局面においては、ネットワークに接続されたデータ配信装置からの情報を移動端末機に送信するアクセスポイントにおいては、データ配信装置はアクセスポイント毎の位置データを有する位置データベースおよび位置データベースを参照して移動端末機の位置を予測する位置予測手段を含む。アクセスポイントは移動端末機とブルートゥースを用いた送受信を行なう送受信装置を含み、移動端末機との交信を行なうアクセスポイントは、位置予測手段によって指定される。
【００１８】
【発明の実施の形態】
以下、この発明の実施の形態を図面を参照して説明する。
【００１９】
図１はこの発明に係るデータ配信システムの全体構成を示すブロック図である。図１を参照して、データ配信システム１００は、各種データを配信するデータ配信部１０と、データ配信部１０からのデータを電気通信網（インターネット網）５を介して利用者４０の移動端末機４１へ送信するための送信部５０とからなる。データ配信部１０はデータ配信部１０全体を制御するとともに移動端末機を追尾する追尾配信サーバ２０と、データを所望する利用者４０の配信先を予測する配信先予測部２１と、利用者４０に対して定期配信を行なう定期配信データを蓄積する配信データ蓄積装置２２とを含む。配信先予測部２１は、利用者４０の通過位置を把握するとともに、配信先を予測する。配信先予測部２１は、予測のためのデータを保管する利用者ブルートゥースアドレス蓄積装置３２およびアンテナブルートゥースアドレス対比データ蓄積装置３３に接続されている。なお、定期配信データは外部に設けられた定期配信用データ蓄積装置３１から配信してもよく、その場合はデータ配信部１０と定期配信用データ蓄積装置３１とはデータ蓄積アクセス用サーバ２３を介して接続される。データ配信部１０とインターネット網５とは配信用ゲートウエイ２４を介して接続される。
【００２０】
定期配信データ蓄積装置２２は、定期配信データとして、たとえば新聞データ、週刊誌データ、音楽データ等を保管する。
【００２１】
送信部５０は、利用者４０の移動に応じて配信先が異なる。各配信先にはインターネット網５に接続されたターミナルアダプタ（以下「ＴＡ」という）５１ａおよび５１ｂが設けられる。ＴＡ５１ａ、５１ｂは内部ＬＡＮ管理用サーバ５２、スイッチングハブ５３を介して移動端末機４１との交信先であるアクセスポイントとなるアンテナ５４に接続されている。スイッチングハブ５３には相互に所定の距離を開けて設けられた複数のアンテナ５４ｂ、５４ｃ、５４ｄが設けられている（たとえばスイッチングハブ５３ｂの場合）。
【００２２】
移動端末機４１およびアンテナ５４はともにブルートゥース送受信が可能なブルートゥースモジュールを内蔵しており、相互にブルートゥースアドレスの交信が可能である。
【００２３】
ブルートゥースモジュールは個々に単独のブルートゥースアドレスを所有しており、各モジュールが通信圏内に侵入した場合に、そのアドレスをお互いに交換することにより通信コネクションを張ることができる。本システムは、ブルートゥースモジュール内蔵端末機４１と、ネットワークに接続されたブルートゥースモジュール内蔵アクセスポイント（以下、アンテナ）との、ブルートゥースアドレスの相互交換状況をネットワークに接続された位置予測サーバ２０より入手し、端末機４１の移動速度および方向からその将来の所在位置を予測する。
【００２４】
利用者４０は、地下街、空港、ビル構内等を移動するが、まず第１次配信先となるＴＡ５１ａからデータを受信しその後移動を行なうことによって移動した場所、すなわち第２次配信先でＴＡ５１ｂからデータを受信する。移動端末機４１はその移動端末機４１に近いアンテナ５４とブルートゥースを用いて交信する。アンテナ５４は移動端末機４１からのデータ配信要求を受付けるとともに、所望のデータを配信するデータ配信装置としても作動する。
【００２５】
なお、図１においては、利用者４０が移動端末機４１を用いてアンテナ５４ａを介してデータ配信要求を行ない、その要求に応じて配信先予測部２０が移動端末機の移動先を予測し、アンテナ５４ｂ〜５４ｄを介して利用者４０の所望のデータを配信する状態を示している。
【００２６】
すなわち移動端末機４１の近くの各位置（ＴＡ５１ａ、５１ｂ等）ごとに図１の下段に示すようなアンテナ５４ａ〜５４ｄが複数設けられている。利用者４０が移動するにつれ、利用者４０の移動端末機４１に最も近いアンテナ５４が選択され、そのアンテナ５４を介して利用者４０の要求したデータが配信される。
【００２７】
なお、アンテナ５４ａ〜５４ｄとスイッチングハブ５３とはたとえば１０ＢＡＳＥまたは１００ＢＡＳＥのイーサネット（Ｒ）で接続されている。
【００２８】
図２は配信先予測部２０が利用者のアドレスの把握および処理を行なうための利用者ブルートゥースアドレス蓄積装置３２およびアンテナブルートゥースアドレス対比データ蓄積装置３３のデータ構成を示す図である。
【００２９】
図２を参照して、利用者ブルートゥースアドレス蓄積装置３２は、利用者とその利用者のブルートゥースアドレスを対応付けた利用者データベース４２を含む。アンテナブルートゥースアドレス対比データ蓄積装置３３は移動端末機４１とのアクセスポイントとなるアンテナ５４ａ〜５４ｄのアンテナ番号と、その位置情報およびそのブルートゥースアドレスを含むアンテナ位置情報データベース４３とアンテナの位置情報およびその属性情報とを含むアンテナ属性情報データベースとを有している。
【００３０】
ブルートゥースの通信手順では、まず最初に、各ブルートゥース間でインクワイアリという基本通信で相互間で自分の固有のブルートゥースアドレスを交換しお互いを把握することから始まる。このことにより、インターネット５のようなネットワークに接続されたブルートゥースアンテナ５４は、自分の通信範囲（半径約１０ｍ）内に侵入し、インクワイアリを発信したブルートゥース端末機のブルートゥースアドレスを把握することができる。すなわち、現在のブルートゥースの通信構造上では、常にブルートゥース端末機がマスタとしてインクワイアリ（ブルートゥースアドレス）を発信しており、そのインクワイアリに対してネットワークに接続されたブルートゥースアンテナがスレーブとしてブルートゥースアドレスを受信できる構造となっている。
【００３１】
利用者ブルートゥースアドレス蓄積装置３２およびアンテナブルートゥースアドレス対比データ蓄積装置３３によりネットワークの各ブルートゥースの位置情報（緯度経度情報や地上、地下等の位置情報等）を管理し、各ブルートゥース端末機のブルートゥースアドレスと利用者とが対比されているマトリックスを持ったサーバ群を用意することで、どの端末機やどのアンテナの通信範囲内（位置情報）に入ったかを把握することができる。
【００３２】
また、このシステムにおいては、利用者の移動速度は歩行者ごとや自転車等に乗っているかいないかによって異なるということを前提としている。アンテナが設置されている位置の属性によって一般的な移動速度は想定が可能である。たとえば、アンテナの設置されている場所が歩道であれば、歩行か自転車移動、また、建物内部であれば歩行のみと想定できる。したがって、これらを考慮した属性がデータとして含まれている。
【００３３】
一方、年令的、身体的な条件、歩行目的（通学、通勤、買い物等）によっても移動速度が異なることから、位置属性での移動速度の推定だけでなく、利用者の時間毎の位置差分データを検出し、それによって利用者ごとの速度演算を行うことで、移動速度の精度を上げ、データ配信の確度を上げてもよい。
【００３４】
次に利用者４０のデータ要求に応じた送信内容について説明する。各種の通信手段を用いてその場その場でデータダウンロードの要求を行ない、利用者４０の移動位置を予測してアンテナより要求されたデータを自動的にダウンロードするのが一般的である。それ以外に、利用者が新聞や週刊誌のような定期的なデータのダウンロードを配信サーバ２０に要求した場合、配信サーバ２０はそのデータの所有者（たとえば図１の定期配信用データ蓄積装置３１）から必要となるデータを定期的にデータ蓄積装置アクセス用サーバ２３を介して収集し、利用者４０の通勤経路のような定常的な経路の一定のアクセスポイントから利用者の端末機に対して定期的なデータのダウンロードを行なってもよい。この場合、利用者４０は配信サーバ２０に対して定常的な一定の経路を予め入力しておく。情報配信サーバ２０は、その経路における利用者４０の端末機４１の移動速度を算定し、配信するアンテナの前の配信準備用アンテナを用意し、そのゾーンに利用者４０の端末機４１が侵入したのを配信先予測部２１より入手し、アンテナに対してデータを配信準備し、そのゾーンに利用者４０の端末機４１が侵入したときにデータを配信する。
【００３５】
その結果、データ利用者がデータ要求時に通信網を通じ、データの保有者に対しコネクションを保持し続けることなしに、システム側が利用者４０の位置を把握し移動速度を推定し、移動先において要求されてデータを自動的にダウンロードすることができる。
【００３６】
次に配信先予測部２１の行なう配信先予測処理手順について図３および図４を参照して説明する。図３は図１に示した配信部５０の他の例を示す図である。図３の構成は基本的に図１と同じであり、図１と同じ部分には同じ参照符号を付してその説明は省略する。図３および図４を参照して、移動端末機４１からブルートゥースアドレスを発信する（ステップＳ１１、以下ステップを略す）。するとネットワーク側のアンテナ６４ａが端末機４１のブルートゥースアドレスを受信する（Ｓ１２）。次いでアンテナ６４ａは自ブルートゥースアドレスおよび端末機ブルートゥースアドレスを送信する（Ｓ１３）。ここまでが第１次送信となる。次いで利用者４０が移動することによって新たな端末機４１の位置へ移動し、そこで端末機ブルートゥースアドレスを発信する（Ｓ１４）。アンテナ６４ｂは端末機４１のブルートゥースアドレスを受信し（Ｓ１５）、アンテナ６４ｂは自ブルートゥースアドレスおよび端末機４１のブルートゥースアドレスを配信先予測部２１へ送信する（Ｓ１６）。これらが第２次送信となる。これら情報をもとに、配信先予測部２１は、第１次および第２次送信時のアンテナ６４ａ、６４ｂのブルートゥースアドレスおよび端末機４１のブルートゥースアドレスを受信して受信アンテナ６４ａ、６４ｂのブルートゥースアドレスから位置情報を位置情報データベース４３を用いてつき合わせする（Ｓ３１、Ｓ３２）。端末機４１の位置が把握できると（Ｓ３３）、アンテナ設置位置から位置属性情報を位置情報データベース４３でつき合わせ、端末機４１の存在位置属性による移動速度を推定する（Ｓ３４、Ｓ３５）。併せて、第１次および第２次送信における端末機４１の存在位置の差分による移動速度を算定する（Ｓ３６）。ついで配信準備時間内での移動距離を算定し（Ｓ３７）、算定処理およびアンテナ設置位置対応の各方面複数通過点を予測し（Ｓ３８）、配信準備用アンテナおよび本配信用アンテナへの配信準備を行ない（Ｓ３９）、移動速度により通信可能時間を推定し（Ｓ４０）、配信要求データの通信可能時間に応じたデータに分割する（Ｓ４１）。配信準備用および本配信用両アンテナに対するアプリケーション（ブルートゥースアンテナと端末機の間に無線コネクションが発生された時に、ＴＣＰ／ＩＰ上で動作する各種サービスを実行する一般的なアプリケーション）の準備をするとともに、そのデータの配信を開始する（Ｓ４３）。なお必要に応じて分割データの修復を行なう（Ｓ４２）。データ配信が完了したかどうかを判断する（Ｓ４４）。完了していないときは、通過予測アンテナに対する予測データを繰返し配信する（Ｓ４５）。データ配信が完了したときは（Ｓ４４でＹＥＳ）、端末機４１はアプリケーションおよび同一データの受信を行ない（Ｓ４６）、端末機４１によるデータを修復する（Ｓ４７）。
【００３７】
具体的には、端末機４１は端末機配信準備アンテナ６４ｅへ侵入し端末機ブルートゥースアドレスを発信し、アンテナ６４ｅは端末機のブルートゥースアドレスを受信してネットワーク側アンテナ６４ｅは自分のブルートゥースアドレスおよび端末機４１のブルートゥースアドレスを配信先予測部２１へ送信する（Ｓ１７〜Ｓ２０）。それによって配信先予測部２１は、配信準備用アンテナ６４ｅからのアンテナおよび端末機のアドレスを受信して本配信アンテナとして６４ｆ、６４ｇを指定する。
【００３８】
図５は恒常的データ配信における利用者４０、アンテナ６４、配信サーバ２００およびデータ所有者５００の処理内容を説明するための図である。ここで、データ所有者５００とは、データ配信部１０以外の利用者４０に対するデータ供給元で図１の定期配信用データ蓄積装置３１等が該当する。恒常的データ配信とは、定期的に配信されることになっているデータ配信のことをいう。
【００３９】
まず利用者４０からデータ所有者５００に対して恒常的データ配信要求を発信し（Ａ２０１）、配信サーバ２０に対して恒常的データ配信要求と恒常的データ配信地点の指定を行なう（Ａ２０２、Ａ２０３）。
【００４０】
利用者４０は移動を行ない、その間にデータ所有者５００は定期的な要求データを配信サーバ２０に移動する（Ａ５０１）。配信サーバ２０はデータを蓄積し、位置情報を待ち受ける。利用者４０は移動後アンテナを介して端末機４１とアンテナのブルートゥースコネクションを発生させ（Ａ２０４）、端末機４１のブルートゥースアドレスを通知する（Ａ２０５）。アンテナ６４は端末機４１のゾーン侵入を配信サーバ２０に通知すること（Ａ３０１）によって端末機２０の位置情報を提供する。配信サーバ２０は直前位置を把握するとともにデータの配信準備を行なう。この間にも端末機４１は移動しており、近くのアンテナを介してブルートゥースコネクションを発生し（Ａ２０６）、ブルートゥースアドレスをアンテナ６４に対して通知する（Ａ２０７）。次いでアンテナ６４は配信サーバ２０に対してゾーン侵入を通知し位置情報を提供する（Ａ３０２）。配信サーバ２０は利用者４０に対してデータ配信を行なう（Ａ４０１）。
【００４１】
次に定期的な配信でなく、利用者４０が配信サーバ２０に対してあるデータの配信を要求し、そのデータを利用者４０の移動位置に応じて配信する場合および利用者の関係者が同様に利用者に対してあるデータを配信することを配信サーバ２０に要求し、利用者４０の移動位置に配信する場合について説明する。この場合をパートタイム配信という。
【００４２】
図６はパートタイム配信における利用者４０、アンテナ６４、配信サーバ２０およびデータ所有者５００のそれぞれの動作を説明するための図である。パートタイム配信の場合は、まず利用者４０とアンテナ６４との間でブルートゥースコネクションが発生する（Ｂ２０１）。利用者４０がアンテナ６４に対して端末機４１のブルートゥースアドレスを通知する（Ｂ２０２）。アンテナ６４は配信サーバ２０に対してゾーン侵入を通知することにより位置情報を提供する（Ｂ３０１）。利用者４０はデータ所有者５００に対してデータ配信要求を発信する（Ｂ２０３）。
【００４３】
データ所有者５００は、要求されたデータを配信サーバ２０に移動する（Ｂ５０１）。配信サーバ２０はデータを蓄積し、位置情報を待ち受ける。この間に端末機４１は移動しており、移動した地点においてブルートゥースコネクションを発生させる（Ｂ２０４）。端末機４１はアンテナ６４に対してブルートゥースアドレスを通知する（Ｂ２０５）。アンテナ６４は配信サーバ２０に対してゾーン侵入を通知することにより位置情報を提供する（Ｂ３０２）。配信サーバ２０はこの位置情報を受けて端末機４１の位置の把握、配信位置の予測および配信準備を行なう。端末機４１は次の移動先でアンテナのある位置においてブルートゥースコーネックションを発生させる（Ｂ２０６）。端末機４１からブルートゥースアドレスがアンテナ６４に対して通知され（Ｂ２０７）、アンテナ６４は配信サーバ２０に対してゾーン侵入通知をすることにより位置情報を提供する（Ｂ３０３）。配信サーバ２０はその位置で端末機４１に対してデータ配信を行なう（Ｂ４０１）。
【００４４】
図７はデータ配信システム１００におけるブルートゥースアドレスの把握および処理の内容を説明するための図である。図７を参照して、端末機４１、アンテナ６４、配信サーバ２０、利用者データベース４２、アンテナ位置情報データベース４３およびアンテナ属性情報データベース４４は次の処理を行なう。
【００４５】
端末機４１とアンテナ６４との間でブルートゥースコネクションが発生する（Ｃ２０１）。端末機４１はアンテナ６４に対してブルートゥースアドレスを通知する（Ｃ２０２）。アンテナ６４は配信サーバ２０に対して、端末機４１のブルートゥースアドレスを配信するとともにアンテナ６４のブルートゥースアドレスを通知する（Ｃ３０１、Ｃ３０２）。配信サーバ２０と利用者データベース４２との間で端末機ブルートゥースアドレス利用者登録情報のつき合わせが行なわれる（Ｃ４０１）。配信サーバ２０とアンテナ位置情報データベース４３との間で受信アンテナブルートゥースアドレス位置情報のつき合わせが行なわれる（Ｃ４０２）。次いで配信サーバ２０は端末機４１の位置を把握する。
【００４６】
次に将来位置予測について説明する。図８は配信先予測部２１の行なう将来位置予測において端末機４１、アンテナ６４、配信サーバ２０、アンテナ位置データベース４３およびアンテナ位置属性データベース４４が行なう処理の内容と手順を示す図である。図８を参照して、端末機４１とアンテナ６４との間でブルートゥースコネクションが発生する（Ｄ２０１）。端末機４１はアンテナ６４に対して第１次のブルートゥースアドレスを通知する（Ｄ２０２）。アンテナ６４は配信サーバ２０に対して第１次ブルートゥースアドレスを配信する（Ｄ３０１）とともにアンテナ６４のブルートゥースアドレスを通知する（Ｄ３０２）。配信サーバ２０はこれらのブルートゥースアドレスの通知を受けてアンテナ位置データベース４３およびアンテナ位置属性データベース４４を参照してアンテナブルートゥースアドレス位置情報とアンテナブルートゥースアドレス位置属性情報をつき合わせる（Ｄ４０１、Ｄ４０２）。
【００４７】
配信サーバ２０は位置属性および端末機の移動速度を推定する。端末機４１はアンテナ６４とブルートゥースコネクションを発生させる（Ｄ２０３）。端末機４１は第２次のブルートゥースアドレスをアンテナ６４に通知する（Ｄ２０４）。アンテナ６４は配信サーバ２０に対して第２次のブルートゥースアドレスの配信とアンテナ（別アンテナ）のブルートゥースアドレスを通知する（Ｄ３０３、Ｄ３０４）。配信サーバ２０はアンテナ位置データベース４３およびアンテナ位置属性データベース４４を参照してアンテナブルートゥースアドレス位置情報をつき合わせるとともに、アンテナブルートゥースアドレス位置属性情報をつき合わせる（Ｄ４０３、Ｄ４０４）。
【００４８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【図１】データ配信システムの全体構成を示すブロック図である。
【図２】位置予測サーバの有しているデータベースを示す図である。
【図３】位置予測サーバの動作を説明するための図である。
【図４】位置予測サーバの処理手順を示すフローチャートである。
【図５】恒常的データ配信における利用者、アクセスポイント、追尾配信サーバおよびデータ所有者の処理内容を説明するための図である。
【図６】パートタイム配信における利用者、アクセスポイント、追尾配信サーバおよびデータ所有者の処理内容を説明するための図である。
【図７】ブルートゥースアドレスの把握および処理における端末機、ブルートゥースアンテナ、追尾配信サーバ、利用者データベースアンテナ位置データベースの処理内容を説明するための図である。
【図８】将来位置予測を行なうにあたってのブルートゥース端末、ブルートゥースアンテナ、追尾配信サーバ、アンテナ位置データベースおよびアンテナ位置属性データベースの処理内容を説明するための図である。
【符号の説明】
５  電気通信網、１０  データ配信部、２０  配信サーバ、２１  配信先予測部、２２  配信データ蓄積装置、３１  定期配信用データ蓄積装置、３２  利用者ブルートゥースアドレス蓄積装置、３３  アンテナブルートゥースアドレス対比データ蓄積装置、４０  利用者、４１  移動端末機、５０  配信部、５１  ＩＰ網用ＴＡ、５２  内部ＬＡＮ管理用サーバ、５３，６３  アンテナ。
【図１】
2005033439.tif 000003
【図２】
2005033439.tif 000004
【図３】
2005033439.tif 000005
【図４】
2005033439.tif 000006
【図５】
2005033439.tif 000007
【図６】
2005033439.tif 000008
【図７】
2005033439.tif 000009
【図８】
2005033439.tif 000010